(57)【要約】【課題】写真プリントシステムにおいて、リプリントの対象とする画像の特定を容易に行えるようにする。【解決手段】入力された画像データに基づいて写真プリントを作製する写真プリント装置ＥＰと、前記画像データを記憶保存する画像データ保存装置ＩＳとが備えられ、前記画像データ保存装置ＩＳに記憶保存されている画像データに基づいて写真プリントを再度作製するときに、各画像についてのリプリント枚数の入力用表示をモニタ４ｂに表示するように構成された写真プリントシステムにおいて、前記リプリント枚数の入力用表示が、各画像の縮小画像と各画像のリプリント枚数の入力欄とが対となって表示されるように構成されている。【選択図】図１
2006011881.tif 000002
【特許請求の範囲】
【請求項１】
入力された画像データに基づいて写真プリントを作製する写真プリント装置と、前記画像データを記憶保存する画像データ保存装置とが備えられ、
前記画像データ保存装置に記憶保存されている画像データに基づいて写真プリントを再度作製するときに、各画像についてのリプリント枚数の入力用表示をモニタに表示するように構成された写真プリントシステムであって、
前記リプリント枚数の入力用表示において、各画像の縮小画像と各画像のリプリント枚数の入力欄とが対となって表示されるように構成されている写真プリントシステム。
【請求項２】
入力された画像データを前記写真プリント装置にてプリント処理するための画像データに補正処理する画像処理装置が備えられ、
前記画像データ保存装置は、前記画像処理装置にて補正処理後の画像データを記憶保存するように構成され、
前記リプリント枚数の入力用表示において、各画像の縮小画像として、前記画像データ保存装置に記憶保存されている画像データの縮小画像を使用するように構成されている請求項１記載の写真プリントシステム。
【請求項３】
入力された画像データを前記写真プリント装置にてプリント処理するための画像データに補正処理する画像処理装置が備えられ、
前記画像データ保存装置は、前記画像処理装置にて補正処理する前の画像データを記憶保存するように構成され、
前記リプリント枚数の入力用表示において、各画像の縮小画像として、前記画像データ保存装置に記憶保存されている画像データに、前記画像処理装置の補正処理に相当する補正処理と画像の縮小処理とを適用して生成した縮小画像を使用するように構成されている請求項１記載の写真プリントシステム。
【請求項４】
写真プリント作製時における前記画像処理装置の補正処理条件を記憶保存する補正データ保存装置が備えられ、
前記リプリント枚数の入力用表示において、各画像の縮小画像として、前記画像データ保存装置に記憶保存されている画像データに、前記補正データ保存装置に記憶保存されているその画像データについての前記補正処理条件による補正処理と画像の縮小処理とを適用して生成した縮小画像を使用するように構成されている請求項３記載の写真プリントシステム。
【請求項５】
入力された画像データを前記写真プリント装置にてプリント処理するための画像データに補正処理する画像処理装置と、その画像処理装置にて補正処理された画像の縮小画像に相当する画像データを前記画像データ保存装置に保存された元の画像データと対応付け可能に記憶保存する縮小画像データ保存装置とが備えられ、
前記画像データ保存装置は、前記画像処理装置にて補正処理する前の画像データを記憶保存するように構成され、
前記リプリント枚数の入力用表示において、各画像の縮小画像として、前記縮小画像データ保存装置に記憶保存されている画像データを使用するように構成されている請求項１記載の写真プリントシステム。
【請求項６】
前記画像データ保存装置に記憶保存されている画像データに、その画像データを特定するための識別コードがグループ単位で設定され、
前記識別コードによって、前記リプリント枚数の入力用表示に表示する縮小画像を特定するように構成されている請求項１〜５のいずれか１項に記載の写真プリントシステム。
【請求項７】
写真フィルムの駒画像を読取る写真フィルム読取り装置が備えられ、
前記写真プリント装置は、前記写真フィルム読取り装置から入力された画像データに基づいて写真プリントを作製するように構成されている請求項１〜６のいずれか１項に記載の写真プリントシステム。
【発明の詳細な説明】
【技術分野】
【０００１】
本発明は、入力された画像データに基づいて写真プリントを作製する写真プリント装置と、前記画像データを記憶保存する画像データ保存装置とが備えられ、前記画像データ保存装置に記憶保存されている画像データに基づいて写真プリントを再度作製するときに、各画像についてのリプリント枚数の入力用表示をモニタに表示するように構成された写真プリントシステムに関する。
【背景技術】
【０００２】
かかる写真プリントシステムは、例えば写真フィルム読取り装置による写真フィルムの読取り画像やデジタルカメラによる撮影画像等の画像データが入力されて、入力された画像データに基づいて写真プリントを作製するシステムである。
かかる写真プリントシステムでは、例えば下記特許文献１にも記載のように、写真プリントの焼き増し注文（リプリント注文）をする際に、元の写真フィルムやメモリカード等を写真プリントショップへ持参する必要がないようにして、利用の便宜を図るため、写真プリントを作製した画像データを保存しておくことも行われている。
【０００３】
従来、このようなシステムで、顧客が、再度の写真プリントの作製、すなわち、リプリントを注文しようとするときは、例えば、多数のサムネール画像を１枚にプリントしたいわゆるインデックスプリントに各画像のリプリント枚数を記入してプリントショップに持参するか、あるいは、６駒単位でカットしたピースネガを収納するいわゆるフィルムシート（ネガシート）にリプリント枚数を記入してプリントショップに持参して、リプリントの注文をするのが一般的であり、写真プリントシステム側では、このようなリプリント注文を受付けるために、フィルムシート内での駒画像の並び状態や、インデックスプリント内での画像の並び状態に対応してリプリント枚数の入力欄を配置したリプリント枚数の入力用表示をモニタに表示させるようにしていた。
【０００４】
【特許文献１】特開２０００−３５４１２３号公報
【発明の開示】
【発明が解決しようとする課題】
【０００５】
しかしながら、顧客の中には上記のインデックスプリントやフィルムシートを利用せず、写真プリントを持参してその写真プリントのリプリントの注文をする顧客も存在しており、上記従来構成では、リプリント枚数の入力用表示は単に枚数入力欄を有するのみであるので、リプリントの対象とする画像を特定することが出来ず、そのような顧客についてはリプリント注文を受付けることができなかった。
又、上記のインデックスプリントやフィルムシートを利用してリプリントの注文を受付ける場合でも、単に枚数入力欄を有するのみのリプリント枚数の入力用表示では、入力操作に不安を覚える場合もあった。
特に、リプリント注文をする顧客自身が端末等からリプリント枚数を入力操作する場合では、顧客は、リプリント枚数の入力用表示における入力欄の配置が、インデックスプリントやフィルムシートでの画像の並び状態と対応しているということ自体を理解していない場合が多く、入力操作に不安を覚えることが多かった。
本発明は、かかる実情に鑑みてなされたものであって、その目的は、リプリントの対象とする画像の特定を容易に行えるようにする点にある。
【課題を解決するための手段】
【０００６】
本出願の第１の発明は、入力された画像データに基づいて写真プリントを作製する写真プリント装置と、前記画像データを記憶保存する画像データ保存装置とが備えられ、前記画像データ保存装置に記憶保存されている画像データに基づいて写真プリントを再度作製するときに、各画像についてのリプリント枚数の入力用表示をモニタに表示するように構成された写真プリントシステムにおいて、前記リプリント枚数の入力用表示において、各画像の縮小画像と各画像のリプリント枚数の入力欄とが対となって表示されるように構成されている。
従って、例えば顧客が持参した写真プリントを見てオペレータがリプリント枚数を入力する場合では、顧客がリプリントの作製を希望する画像と前記入力用表示の各縮小画像とを対比することで直ちにリプリントの対象とする画像を特定でき、顧客がリプリントを希望する画像の縮小画像に対応する枚数入力欄に必要枚数を入力操作する。
【０００７】
又、本出願の第２の発明は、上記第１の発明の構成に加えて、入力された画像データを前記写真プリント装置にてプリント処理するための画像データに補正処理する画像処理装置が備えられ、前記画像データ保存装置は、前記画像処理装置にて補正処理後の画像データを記憶保存するように構成され、前記リプリント枚数の入力用表示において、各画像の縮小画像として、前記画像データ保存装置に記憶保存されている画像データの縮小画像を使用するように構成されている。
従って、リプリント注文を受付けたときは、画像データ保存装置から補正処理後の画像データを読み出して、そのままプリント処理すれば、前回の写真プリントと同品質の写真プリントを作製できる。
しかも、画像データ保存装置から読み出した画像を縮小処理するだけで、前回の写真プリントの画像そのものに対応する縮小画像をリプリント枚数の入力用表示に使用できる。
【０００８】
又、本出願の第３の発明は、上記第１の発明の構成に加えて、入力された画像データを前記写真プリント装置にてプリント処理するための画像データに補正処理する画像処理装置が備えられ、前記画像データ保存装置は、前記画像処理装置にて補正処理する前の画像データを記憶保存するように構成され、前記リプリント枚数の入力用表示において、各画像の縮小画像として、前記画像データ保存装置に記憶保存されている画像データに、前記画像処理装置の補正処理に相当する補正処理と画像の縮小処理とを適用して生成した縮小画像を使用するように構成されている。
【０００９】
従って、リプリント注文を受付けたときは、画像データ保存装置から補正処理前の画像データを読み出して、リプリントとしての写真プリントを作製する。
このときの写真プリントの作製においては、補正処理前のオリジナルの画像データを保存しているので、画質を損なうことなく、前回の写真プリント作製時とは異なる補正処理条件を適用して所望の写真プリントを作製することもできる。
リプリント枚数の入力用表示に使用する縮小画像については、画像データ保存装置から読み出した画像データに、画像処理装置の補正処理に相当する補正処理と縮小処理とを行うことで、前回の写真プリントの画像に対応する縮小画像を使用することができる。
尚、ここで縮小画像に適用する補正処理は、必ずしも前回の写真プリント作製時に使用された補正処理条件そのものによる補正処理である必要はなく、例えば画像データの入力元がネガフィルムの読取り画像であれば、そのネガフィルムに対して標準として設定されている補正処理条件を適用して補正処理を行うようにしても良い。
【００１０】
又、本出願の第４の発明は、上記第３の発明の構成に加えて、写真プリント作製時における前記画像処理装置の補正処理条件を記憶保存する補正データ保存装置が備えられ、前記リプリント枚数の入力用表示において、各画像の縮小画像として、前記画像データ保存装置に記憶保存されている画像データに、前記補正データ保存装置に記憶保存されているその画像データについての前記補正処理条件による補正処理と画像の縮小処理とを適用して生成した縮小画像を使用するように構成されている。
従って、補正データ保存装置に記憶保存されている補正処理条件のデータを利用して、前回に作製した写真プリントを忠実に再現したリプリントの作製が可能となり、リプリント枚数の入力用表示においても、補正データ保存装置に記憶保存されている補正処理条件のデータを利用して、前回の写真プリントの画像に忠実に対応する縮小画像を使用することができる。
【００１１】
又、本出願の第５の発明は、上記第１の発明の構成に加えて、入力された画像データを前記写真プリント装置にてプリント処理するための画像データに補正処理する画像処理装置と、その画像処理装置にて補正処理された画像の縮小画像に相当する画像データを前記画像データ保存装置に保存された元の画像データと対応付け可能に記憶保存する縮小画像データ保存装置とが備えられ、前記画像データ保存装置は、前記画像処理装置にて補正処理する前の画像データを記憶保存するように構成され、前記リプリント枚数の入力用表示において、各画像の縮小画像として、前記縮小画像データ保存装置に記憶保存されている画像データを使用するように構成されている。
【００１２】
従って、リプリント注文を受付けたときは、画像データ保存装置から補正処理前の画像データを読み出して、リプリントとしての写真プリントを作製する。
このときの写真プリントの作製においては、画像処理装置にて前回の写真プリント作製時の補正処理条件を適用すれば、前回の写真プリントを忠実に再現したリプリントの作製を行えると共に、補正処理前のオリジナルの画像データを保存しているので、画質を損なうことなく補正処理条件を適宜に変更して所望の写真プリントを作製することもできる。
一方、リプリント枚数の入力用表示に使用する縮小画像については、縮小画像データ保存装置から読み出した画像をそのまま使用でき、その縮小画像は前回の写真プリントの画像そのものに対応する縮小画像になっている。
【００１３】
又、本出願の第６の発明は、上記第１〜第５のいずれかの発明の構成に加えて、前記画像データ保存装置に記憶保存されている画像データに、その画像データを特定するための識別コードがグループ単位で設定され、前記識別コードによって、前記リプリント枚数の入力用表示に表示する縮小画像を特定するように構成されている。
従って、リプリント対象の画像データを前記識別コードによって的確に特定することができる。
【００１４】
又、本出願の第７の発明は、上記第１〜第６のいずれかの発明の構成に加えて、写真フィルムの駒画像を読取る写真フィルム読取り装置が備えられ、前記写真プリント装置は、前記写真フィルム読取り装置から入力された画像データに基づいて写真プリントを作製するように構成されている。
すなわち、写真フィルムの画像をリプリントしようとするときに、特にネガフィルムにおいては、写真フィルムの駒画像を目視で確認してリプリント対象とする画像を特定する作業は行い辛いものであるが、リプリント枚数の入力用表示に縮小画像を表示することで、容易にその作業を行うことができる。
【発明の効果】
【００１５】
上記第１の発明によれば、モニタに表示するリプリント枚数の入力用表示に、各画像の縮小画像も併せて表示することで、容易にリプリント対象の画像を特定することができる。
又、上記第２の発明によれば、前回の写真プリントと同品質のリプリントを簡単に作製できると共に、リプリント枚数の入力用表示に使用する縮小画像も簡単に作製できる。
又、上記第３の発明によれば、補正処理条件を適宜に変更したリプリントの作製も可能として、顧客の要望に柔軟に対処できるようにしながら、画像データ保存装置に記憶保存されている画像データからリプリント枚数の入力用表示に使用する縮小画像を生成できる。
又、上記第４の発明によれば、前回の写真プリントを忠実に再現したリプリントの作製も可能となると共に、リプリント枚数の入力用表示においては、前回の写真プリントの画像に忠実に対応する縮小画像の使用が可能となる。
【００１６】
又、上記第５の発明によれば、前回の写真プリントを忠実に再現したリプリントの作製はもちろんのこと、補正処理条件を適宜に変更したリプリントの作製も可能として、顧客の要望に柔軟に対処できると共に、リプリント枚数の入力用表示に使用する縮小画像については、縮小画像データ保存装置に記憶保存されている縮小画像の画像データをそのまま利用できるので、縮小画像の生成処理負担を可及的に軽減できる。
しかも、縮小画像のデータ量はオリジナルの画像データに比べると十分小さいものであるので、縮小画像を記憶保存する縮小画像データ保存装置の構成も簡素なものとすることができる。
又、上記第６の発明によれば、リプリント対象の画像データを的確且つ簡単に特定できるので、リプリント作製作業の作業負担を軽減することができる。
又、上記第７の発明によれば、写真フィルムの読取り画像データをオリジナルとする写真プリントの作製において、リプリント対象の特定作業とリプリントの作製作業とを簡単化することができる。
【発明を実施するための最良の形態】
【００１７】
以下、本発明の写真プリントシステムの実施の形態を図面に基づいて説明する。
＜第１実施形態＞
本第１実施形態で例示する写真プリントシステムＤＰは、いわゆるデジタルミニラボシステムとして知られているものであり、図１のブロック図に示すように、現像処理済みの写真フィルム，メモリーカード，光磁気ディスクあるいはＣＤ−Ｒメディア等から画像データを取込む画像入力装置ＩＲと、メモリーカード，光磁気ディスクあるいはＣＤ−Ｒメディア等の記録媒体から画像データを取込んで顧客のプリント注文を受付けるプリント注文受付端末装置ＰＯと、画像入力装置ＩＲやプリント注文受付端末装置ＰＯにて取込んだ画像データを印画紙２にプリント処理して写真プリントを作製する写真プリント装置ＥＰと、写真プリントの作製のために入力された画像データを記憶保存する画像データ保存装置ＩＳがネットワーク接続されて構成されている。
【００１８】
〔画像入力装置ＩＲの概略構成〕
画像入力装置ＩＲには、図１に概略的に示すように、写真フィルムの駒画像を読み取る写真フィルム読取り装置であるフィルムスキャナ３と、パーソナルコンピュータにて構成される制御装置４と、フィルムスキャナ３等から入力された写真プリント作製用の画像データを補正処理する画像処理装置５とが備えられている。
制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、操作卓４ｃ及びマウス４ｄとが接続されている。
外部入出力装置４ａは、備えられている各ドライブから画像データの取込みが可能であると共に、各ドライブに対応した記録媒体に画像データ等を記録可能である。
画像処理装置５は、色補正やシャープネスその他の各種の補正処理を行うように構成され、入力画像ソースに応じて標準の補正処理条件が予め設定されていると共に、操作卓４ｃ及びマウス４ｄからの入力操作で、その標準の補正処理条件を修正することができる。
オペレータがこの補正処理条件の設定操作を行うために、モニタ４ｂには、入力された画像データに上記の補正処理条件を適用して補正処理した画像が表示される。尚、モニタ４ｂは、それの表示画像が写真プリントの画像に極力一致するように色調整されている。
【００１９】
〔プリント注文受付端末装置ＰＯの概略構成〕
プリント注文受付端末装置ＰＯは、オペレータが操作する画像入力装置ＩＲと異なり、店舗に来店した顧客自身が入力操作して、メモリーカード等の各種の記録媒体に記録された画像データによって写真プリントの作製注文を行う装置である。
この機能のために、図示を省略するが、プリント注文受付端末装置ＰＯにも画像入力装置ＩＲに備えられた外部入出力装置４ａと同様の装置が装備されており、更に各種の操作案内や画像の表示機能と入力操作機能とを併せ持つタッチパネル式のモニタを備えている。
〔画像データ保存装置ＩＳの概略構成〕
画像データ保存装置ＩＳは、大容量のハードディスク装置を備えたサーバとして構成され、大量の画像ファイルを記憶保存できる。
本第１実施形態の画像データ保存装置ＩＳは、ネットワーク経由で画像入力装置ＩＲから入力される画像データを記憶保存する。
【００２０】
〔写真プリント装置ＥＰの全体構成〕
図１に示すように、写真プリント装置ＥＰは、筐体内部に、画像形成装置ＥＸと、画像形成装置ＥＸにて露光形成された印画紙２を現像処理する現像処理装置ＰＰと、筐体内に配置された印画紙マガジン６から引き出された印画紙２を多数の搬送ローラ９等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダー毎に分類するためのソータが備えられ、現像処理装置ＰＰの排出口から排出された印画紙２をコンベア１０にてソータへ搬送する。
更に、印画紙搬送系ＰＴの搬送経路の途中には、印画紙マガジン６から引き出された長尺の印画紙２を設定プリントサイズに切断するカッタ１１と、印画紙２を複数の搬送列に振り分けるための振り分け装置１２とが備えられている。
【００２１】
〔画像形成装置ＥＸの構成〕
画像形成装置ＥＸは、印画紙２上に露光画像を形成する画像形成ヘッド１４と、画像形成ヘッド１４を制御するプリント制御装置１５とを主要部として構成されている。
画像形成ヘッド１４は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
画像形成ヘッド１４から出射されるレーザビームは、プリント制御装置１５の制御により、画像処理装置５から専用通信ラインで入力された画像データあるいは制御装置４からネットワーク経由で入力された画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００２２】
〔写真プリントの作製動作〕
次に、上記構成の写真プリントシステムＤＰでの写真プリントの作製動作について説明する。
プリント動作の管理をするための管理プログラムを実行している制御装置４は、標準の待機画面として、図２に例示する画面表示をモニタ４ｂに表示している。
図２の画面表示では、操作案内を表示する案内表示欄２１や、画像データの入力元を指定するための入力元選択ボタン表示２２、各種の動作情報や設定入力欄をタブ選択式に表示するタブ表示欄２３が表示される他、プリントサイズ等の指定のための入力欄、インデックスプリントの作製条件の設定欄、及び、画像データを記録媒体へ書込み出力するための条件設定欄等が表示されている。
【００２３】
図２では、画像データの入力元として標準の入力元であるフィルムスキャナ３が指定されている場合を示しており、図２の画面で操作卓４ｃ等から必要な項目について入力した後、フィルムスキャナ３に顧客から預かった写真フィルムをセットすると、自動的に写真フィルムの駒画像の読取りが開始され、読取った画像データは順次に画像処理装置５へ送られる。
フィルムスキャナ３から画像データを受け取った画像処理装置５は、受け取った画像の縮小画像を生成して制御装置４へ送る。
制御装置４は画像処理装置５の補正処理と同等の補正処理を実行する機能を備えており、そのときの処理対象の写真フィルムに対して設定されている標準の補正処理条件を適用して、受け取った縮小画像を補正処理し、補正処理後の画像をモニタ４ｂに表示する。
写真プリントシステムＤＰのオペレータは、そのモニタ４ｂの表示画像を観察して、補正処理条件を修正する必要があるか否かを判断し、修正する必要があれば操作卓４ｃ等から必要な入力操作を行う。
【００２４】
上記のようなオペレータによる補正処理条件の設定作業（標準の補正処理条件が適正であることの確認も含む）が完了すると、オペレータが設定した補正処理条件が画像処理装置５に送信され、画像処理装置５はオペレータが設定した補正処理条件に従ってフィルムスキャナ３から入力された画像データを補正処理し、補正処理が完了すると、その補正処理後の画像データをプリントサイズやプリント枚数等の情報と共にプリント制御装置１５へ送ってプリント処理させると共に、制御装置４を経て画像データ保存装置ＩＳへも補正処理後の画像データを送り、記憶保存させる。画像データ保存装置ＩＳに記憶保存された画像データは、制御装置４によってプリントオーダーに対して設定された識別コードで管理される。すなわち、写真プリントシステムＤＰでは、１つのプリント注文を１グループとして画像データをグループ管理しており、そのグループ単位で識別コードが設定されている。
又、図２の画面表示において、インデックスプリントを作製するように入力されているときは、その旨の指示も併せてプリント制御装置１５へ送られ、図６に例示するようなインデックスプリント５０が作製される。
図６に示すインデックスプリント５０では、作製した写真プリントの画像の縮小画像がプリント形成され、更に、各縮小画像に対応して写真プリントを焼き増し注文するときのリプリント枚数記入欄５１がプリント形成されている。
【００２５】
〔リプリント時の動作〕
通常、焼き増しプリントを希望する顧客は、上記インデックスプリント５０のリプリント枚数記入欄５１に必要枚数を記入して前回写真プリントの作製を依頼した店舗に持参する。このとき、前回の写真プリントの作製に使用した写真フィルムを持参する必要はない。
上記インデックスプリント５０を顧客から受け取った写真プリントシステムＤＰのオペレータは、図２の画面表示で、入力元選択ボタン表示２２を押し操作して、画像データの入力元として画像データ保存装置ＩＳを選択する。
制御装置４は、入力元選択ボタン表示２２が押し操作される毎に、図７のフローチャートに示す処理を実行する。
制御装置４は、入力元を特定するためのパラメータを記憶保持しており、入力元選択ボタン表示２２の押し操作毎に、複数の入力元のいずれかを特定するパラメータをサイクリックに切り換える（ステップ＃１）。
【００２６】
入力元が画像データ保存装置ＩＳになったときには（ステップ＃２）、以下の処理を行うことによって、図２の画面表示を図３の画面表示に更新する。
（１）入力元選択ボタン表示２２のアイコンを画像データ保存装置ＩＳを示すアイコンに変更すると共に、入力元選択ボタン表示２２の下方に位置する入力元の表示を更新する（ステップ＃３）。
（２）案内表示欄２１の表示文字列を「［スタート］キーを押してください」に変更する（ステップ＃４）。
（３）図２の画面に表示に、スタートボタン表示２４を追加する（ステップ＃５）。
（４）スタートボタン表示２４が押し操作（マウス４ｄによるクリック操作）されたときに図９のフローチャートに示す「プリント開始処理」を実行するように設定する（ステップ＃６）。
（５）タブ表示欄２３に、リプリント枚数の入力用表示２５を追加し、その入力用表示２５のタブ表示が最前面となるように設定する（ステップ＃７）。
（６）プリント枚数の入力用表示２５における識別コード入力欄２６に文字又は記号が入力されたときに、図８のフローチャートに示す「識別コード入力時処理」を実行するように設定する（ステップ＃８）。
【００２７】
図３の画面表示で表示されるリプリント枚数の入力用表示２５では、その入力用表示２５を拡大して示す図４のように、上記識別コード入力欄２６の他に、縮小画像表示欄２７を複数個配列して備えている。
各縮小画像表示欄２７内には、左上隅に駒番号を示す連番が表示され、右下隅には、各画像についてのリプリント枚数の入力欄２７ａが備えられている。このように入力欄２７ａを配置することで、各画像の縮小画像と各画像のリプリント枚数の入力欄２７ａとが対となるように表示している。
各縮小画像表示欄２７の配列状態は、インデックスプリント５０における縮小画像の配列状態、及び、６駒単位で切断されたピースネガをフィルムシートに挿入した状態の駒画像の配列状態に対応させている。
【００２８】
図３の画面表示の状態で、オペレータが、画像データ保存装置ＩＳから画像データを呼び出すための識別コードを識別コード入力欄２６に入力すると、上述の設定により図８に示す処理が開始される。この識別コードは、インデックスプリント５０にプリント形成するか、あるいは、前回の写真プリント作製時に各写真プリントの裏面側にバックプリントしておくこと等で、容易に確認することができる。更に、各顧客のプリント注文を前記識別コードを含めてデータベース化しておき、顧客名で前記識別コードを検索するようにしても良い。
【００２９】
図８の処理が開始されると、先ず、識別コード入力欄２６の入力文字列を読取り（ステップ＃１１）、その文字列の識別コードに該当する画像データを画像データ保存装置ＩＳから読み出す（ステップ＃１２）。
更に、画像データ保存装置ＩＳから読出した画像の画像データに対して縮小処理を実行し（ステップ＃１３）、縮小処理した各画像をプリント枚数の入力用表示２５の各縮小画像表示欄２７に表示する（ステップ＃１４）。
これによって、例えば図６に例示するインデックスプリント５０でリプリント注文をする場合では、図４の表示状態が図５に示す表示状態に更新される。
【００３０】
上記のようにして、リプリント枚数の入力用表示２５に縮小画像を表示させることで、オペレータは、インデックスプリント５０の縮小画像と入力用表示２５の縮小画像とを対比して、リプリント対象の画像を目視で確認しながら、各画像のリプリント枚数をリプリント枚数の入力欄２７ａに転記する作業を行える。
又、リプリント注文をする顧客がインデックスプリント５０を持参せず、リプリントしたい写真プリントをそのまま持参したような場合でも、その写真プリントのプリント画像とリプリント枚数の入力用表示２５の縮小画像とを対比して、確実にリプリント対象の画像を特定することができる。
【００３１】
オペレータが、各画像についてリプリント枚数の入力操作を完了して、スタートボタン表示２４を押し操作すると、上述の設定により図９に示す処理が開始され、各リプリント枚数の入力欄２７ａに入力されたリプリント枚数を読取って（ステップ＃２１）、そのリプリント枚数が１以上に設定されている画像について、画像データ保存装置ＩＳから読取った画像データをプリント制御装置１５へ送りプリント処理させる（ステップ＃２２）。このとき、各画像のリプリント枚数の情報も併せて送信される。
この後、リプリント枚数の入力用表示２５をリセットし、表示した縮小画像等を消去して、図３の表示状態に戻す（ステップ＃２３）。
以上のリプリント時の動作は、オペレータが画像入力装置ＩＲを操作する場合について説明したが、同様の操作を顧客自身がプリント注文受付端末装置ＰＯを操作することによっても行うことができ、プリント注文受付端末装置ＰＯのモニタにも、上記と同様のリプリント枚数の入力用表示が表示される。但し、プリント注文受付端末装置ＰＯの画面表示においては、図２及び図３の表示から一部の設定機能を削除して表示し、操作をわかり易くしている。
【００３２】
＜第２実施形態＞
次に、本発明の第２実施形態について説明する。
本第２実施形態の写真プリントシステムＤＰは、図１０のブロック図に示すように、現像処理済みの写真フィルム，メモリーカード，光磁気ディスクあるいはＣＤ−Ｒメディア等から画像データを取込む画像入力装置ＩＲと、メモリーカード，光磁気ディスクあるいはＣＤ−Ｒメディア等の記録媒体から画像データを取込んで顧客のプリント注文を受付けるプリント注文受付端末装置ＰＯと、画像入力装置ＩＲやプリント注文受付端末装置ＰＯにて取込んだ画像データを印画紙２にプリント処理して写真プリントを作製する写真プリント装置ＥＰと、写真プリントの作製のために入力された画像データを記憶保存する画像データ保存装置ＩＳがネットワーク接続されて構成されており、基本的な構成は上記第１実施形態と共通している。
【００３３】
但し、上記第１実施形態では、画像データ保存装置ＩＳに画像処理装置５にて補正処理後の画像データを記憶保存するのに対して、本第２実施形態では、写真フィルム読取り装置であるフィルムスキャナ３の読取り画像データをそのまま画像データ保存装置ＩＳへ送って、画像処理装置５にて補正処理する前のオリジナルの画像データを記憶保存している。
このために、画像入力装置ＩＲには、フィルムスキャナ３が出力する写真フィルムの駒画像の読取り画像データを、画像処理装置５及び画像データ保存装置ＩＳの双方に並行して送るためのデータ中継器３１が備えられている。リプリントの際に、制御装置４の指示によって画像データ保存装置ＩＳから画像データが読み出されるときも、このデータ中継器３１を経て画像処理装置５へ画像データが送られる。
このデータ中継器３１以外の、制御装置４や画像処理装置５等の画像入力装置ＩＲ内の構成は、制御装置４の実行プログラムが若干異なるだけで、基本的な構成は上記第１実施形態と同一であり、又、写真プリント装置ＥＰ及びプリント注文受付端末装置ＰＯの構成も上記第１実施形態と共通している。
【００３４】
〔写真プリントの作製動作及びリプリント時の動作〕
本第２実施形態での写真プリントの作製動作及びリプリント時の動作について、上記第１実施形態との相違点を中心に説明する。説明を省略した部分は、上記第１実施形態と共通のものである。
プリント動作の管理をするための管理プログラムを実行している制御装置４は、標準の待機画面として、上記第１実施形態と同様に、図２に例示する画面表示をモニタ４ｂに表示している。
【００３５】
図２の画面で操作卓４ｃ等から必要な項目について入力した後、フィルムスキャナ３に顧客から預かった写真フィルムをセットすると、自動的に写真フィルムの駒画像の読取りが開始され、読取った画像データは順次に画像処理装置５へ送られる点も上記第１実施形態と同様であるが、画像処理装置５への画像データの送出と並行して、同じ画像データがデータ中継器３１を経て画像データ保存装置ＩＳへも送られ、記憶保存される。記憶保存された画像データは、制御装置４によってプリントオーダーに対して設定された識別コードで管理される。この識別コードは、上記第１実施形態と同一概念のものである。
フィルムスキャナ３から画像データを受け取った画像処理装置５が、受け取った画像の縮小画像を生成して制御装置４へ送り、制御装置４側で、オペレータが補正処理条件を設定する作業を行う点も上記第１実施形態と共通であるが、上記第１実施形態と異なる点は、オペレータが補正処理条件の設定（標準の補正処理条件が適正であることの確認も含む）を完了したとき、その設定した補正処理条件を、画像処理装置５へ送ると共に、制御装置４に内蔵されたハードディスク装置へも駒の並び順に従って、前記識別コードで管理した状態で記憶保存する。従って、制御装置４のハードディスク装置に記憶保存される補正処理条件のデータは、画像データ保存装置ＩＳの各記憶画像と対応付けられている。
【００３６】
制御装置４からオペレータが設定した補正処理条件を受け取った画像処理装置５の動作も上記第１実施形態と共通であるが、上記第１実施形態では、補正処理が完了した画像データを、プリントサイズやプリント枚数等の情報と共にプリント制御装置１５へ送ってプリント処理させると共に、制御装置４を経て画像データ保存装置ＩＳへも補正処理後の画像データを送っているが、本第２実施形態では、補正処理後の画像データは、プリント制御装置１５のみへ送ってプリント処理させる。適宜にインデックスプリント５０を作製するのも上記第１実施形態と共通である。
従って、制御装置４は、写真プリント作製時における画像処理装置５の補正処理条件を記憶保存する補正データ保存装置ＣＳとして機能する。
【００３７】
顧客からのリプリントの注文を受けて、オペレータが入力元選択ボタン表示２２を押し操作することで実行される図７の処理も基本的に上記第１実施形態と共通であるが、ステップ＃８において追加される識別コード入力時の処理が、本第２実施形態では、図８の処理ではなく、図１１のフローチャートに示す処理となる。尚、ステップ＃６において追加される図９の処理については上記第１実施形態と共通である。
【００３８】
従って、図３の画面表示の状態で、オペレータが、画像データ保存装置ＩＳから画像データを呼び出すための識別コードを識別コード入力欄２６に入力すると、上述の設定により図１１に示す処理が開始される。
図１１の処理が開始されると、先ず、識別コード入力欄２６の入力文字列を読取り（ステップ＃３１）、その文字列の識別コードに該当する画像ファイルを画像データ保存装置ＩＳから読み出して画像処理装置５へ出力させる（ステップ＃３２）。
更に、画像データ保存装置ＩＳから読出した画像の画像データに対して画像処理装置５が縮小処理した画像を受け取って、前記縮小画像表示欄２７の表示サイズに適合するように縮小処理し（ステップ＃３３）、その画像について前回の写真プリント作製時に適用した補正処理条件を内蔵のハードディスク装置から読み出して、縮小処理した画像に適用して補正処理する（ステップ＃３４）。この補正処理は、上述のように画像処理装置５による補正処理に相当する補正処理である。
補正処理が完了すると、その縮小画像をプリント枚数の入力用表示２５の各縮小画像表示欄２７に表示する（ステップ＃３５）。
【００３９】
オペレータが、各画像についてリプリント枚数の入力操作を完了して、スタートボタン表示２４を押し操作すると、上記第１実施形態と同様に、図９に示す処理が開始され、画像データをプリント制御装置１５へ送りプリント処理させると共に、リプリント枚数の入力用表示２５をリセットする。但し、本第２実施形態では、ステップ＃２２において、前回の写真プリント作製時における各画像についての補正処理条件を制御装置４から画像処理装置５へ送って、画像データ保存装置ＩＳから読み出した画像データのうちのリプリント枚数が１以上の画像データを補正処理させ、その補正処理後の画像データをプリント制御装置１５へ送ってプリント処理させている。尚、このとき、前回の写真プリント作製時の補正処理条件と異なる補正処理条件を別途設定してプリント処理させることも可能である。
【００４０】
＜第３実施形態＞
次に、本発明の第３実施形態について説明する。
本第３実施形態の写真プリントシステムＤＰは、図１０に示す上記第２実施形態と同様の構成を有するものであり、上記第２実施形態とは、リプリント枚数の入力用表示２５に表示する縮小画像の取得形態が異なる。
すなわち、上記第２実施形態では、画像データ保存装置ＩＳに記憶保存している画像データを読出して、前回の写真プリント作製時の補正処理条件と画像の縮小処理とを適用することでリプリント枚数の入力用表示２５に表示する縮小画像を生成しているが、本第３実施形態では、初回の写真プリント作製時に、リプリント枚数の入力用表示２５に表示するための縮小画像を生成して記憶保存しておき、リプリント注文時にその縮小画像を読出して使用する。
【００４１】
〔写真プリントの作製動作及びリプリント時の動作〕
本第３実施形態での写真プリントの作製動作及びリプリント時の動作について、上記第２実施形態との相違点を中心に説明する。説明を省略した部分は、上記第２実施形態と共通のものである。
プリント動作の管理をするための管理プログラムを実行している制御装置４は、標準の待機画面として、上記第２実施形態と同様に、図２に例示する画面表示をモニタ４ｂに表示している。
【００４２】
オペレータがフィルムスキャナ３に顧客から預かった写真フィルムをセットすると、その写真フィルムの駒画像が読取られて、画像処理装置５へ送られ、更に、オペレータによってそれらの画像の補正処理条件を設定するまでの過程は上記第２実施形態と全く共通である。
本第３実施形態では、各画像の確定した補正処理条件を適用してモニタ４ｂに表示されている縮小画像を、リプリント枚数の入力用表示２５の縮小画像表示欄２７の表示サイズに適合するように更に縮小して、その縮小した画像の画像データを、その画像について確定した補正処理条件と対応付けて制御装置４に内蔵されているハードディスク装置へ記憶保存する。この場合も、データの並び順によって画像データ保存装置ＩＳに記憶保存されている画像データと対応付けることができ、又、これらのデータは、上記第２実施形態と同様に、制御装置４によってプリントオーダーに対して設定された識別コードで管理される。
【００４３】
オペレータによる補正処理条件の設定が完了した画像の取扱いについても上記第２実施形態と共通であり、制御装置４からオペレータが設定した補正処理条件を受け取った画像処理装置５は、受け取った補正処理条件でフィルムスキャナ３から入力された画像データを補正処理し、補正処理後の画像データは、プリント制御装置１５へ送ってプリント処理させる。適宜にインデックスプリント５０を作製するのも上記第２実施形態と共通である。
従って、制御装置４は、画像処理装置５にて補正処理された画像の縮小画像に相当する画像データを、画像データ保存装置ＩＳに保存された元の画像データと対応付け可能に記憶保存する縮小画像データ保存装置ＤＳとして機能する。
【００４４】
顧客からのリプリントの注文を受けて、オペレータが入力元選択ボタン表示２２を押し操作することで実行される図７の処理も基本的に上記第２実施形態（及び、第１実施形態）と共通であるが、ステップ＃８において追加される識別コード入力時の処理が、本第３実施形態では、図１１の処理ではなく、図１２のフローチャートに示す処理となる。尚、ステップ＃６において追加される図９の処理については上記第２実施形態等と共通である。
【００４５】
従って、図３の画面表示の状態で、オペレータが、画像データ保存装置ＩＳから画像データを呼び出すための識別コードを識別コード入力欄２６に入力すると、上述の設定により図１２に示す処理が開始される。
図１２の処理が開始されると、先ず、識別コード入力欄２６の入力文字列を読取り（ステップ＃４１）、その文字列の識別コードに該当する画像ファイルを画像データ保存装置ＩＳから読み出して画像処理装置５へ出力させる（ステップ＃４２）。
更に、入力された前記識別コードに対応して制御装置４のハードディスク装置に記憶保存している縮小画像を読出して縮小画像表示欄２７に表示する（ステップ＃４３）。
【００４６】
オペレータが、各画像についてリプリント枚数の入力操作を完了して、スタートボタン表示２４を押し操作すると、上記第２実施形態（及び、第１実施形態）と同様に、図９に示す処理が開始され、画像データをプリント制御装置１５へ送りプリント処理させると共に、リプリント枚数の入力用表示２５をリセットする。ステップ＃２２において、前回の写真プリント作製時における各画像についての補正処理条件を制御装置４から画像処理装置５へ送って、画像データ保存装置ＩＳから読み出した画像データのうちのリプリント枚数が１以上の画像データを補正処理させ、その補正処理後の画像データをプリント制御装置１５へ送ってプリント処理させて点も、上記第２実施形態と共通である。
【００４７】
＜その他の実施形態＞
以下、本発明のその他の実施形態を列記する。
（１）上記第１〜第３実施形態では、写真フィルムの駒画像を読取って初回の写真プリントを作製すると共に、それのリプリントを作製する場合を例示して説明しているが、初回の写真プリントを、メモリーカード等の各種の記録媒体から取込んだ画像データやインターネット経由で顧客から送られてくる画像データで作製し、それのリプリントを作製する場合にも本発明を適用できる。
（２）上記第１〜第３実施形態では、写真プリント装置ＥＰの具体構成として、レーザビーム露光式の写真プリント装置ＥＰを例示しているが、ＰＬＺＴ等による光シャッタアレイ方式等の他の露光形式を採用するものでも良いし、インクジェットプリント方式等の露光によらないプリント形式を採用するものでも良い。
【図面の簡単な説明】
【００４８】
【図１】本発明の第１実施形態にかかる写真プリントシステムのブロック構成図
【図２】本発明の第１〜第３実施形態にかかるモニタの画面表示例を示す図
【図３】本発明の第１〜第３実施形態にかかるモニタの画面表示例を示す図
【図４】本発明の第１〜第３実施形態にかかるモニタの画面表示の一部を拡大して示す図
【図５】本発明の第１〜第３実施形態にかかるモニタの画面表示の一部を拡大して示す図
【図６】本発明の第１〜第３実施形態にかかるインデックスプリントの例示図
【図７】本発明の第１〜第３実施形態にかかるフローチャート
【図８】本発明の第１実施形態にかかるフローチャート
【図９】本発明の第１〜第３実施形態にかかるフローチャート
【図１０】本発明の第２及び第３実施形態にかかる写真プリントシステムのブロック構成図
【図１１】本発明の第２実施形態にかかるフローチャート
【図１２】本発明の第３実施形態にかかるフローチャート
【符号の説明】
【００４９】
ＣＳ    補正データ保存装置
ＤＳ    縮小画像データ保存装置
ＥＰ    写真プリント装置
ＩＳ    画像データ保存装置
３      写真フィルム読取り装置
４ｂ    モニタ
５      画像処理装置
２５    リプリント枚数の入力用表示
２７ａ  リプリント枚数の入力欄
【図１】
2006011881.tif 000003
【図２】
2006011881.tif 000004
【図３】
2006011881.tif 000005
【図４】
2006011881.tif 000006
【図５】
2006011881.tif 000007
【図６】
2006011881.tif 000008
【図７】
2006011881.tif 000009
【図８】
2006011881.tif 000010
【図９】
2006011881.tif 000011
【図１０】
2006011881.tif 000012
【図１１】
2006011881.tif 000013
【図１２】
2006011881.tif 000014